(57)【要約】【課題】本発明は、スピーカ内に電子回路部を取着することにより、スピーカシステムのコンパクト化を目的とするものである。【解決手段】磁気回路２４と、この磁気回路２４の磁気ギャップ２５にはまり込むように結合されたボイスコイル２８と、このボイスコイル２８に結合された振動板とからなり、この振動板に電子回路部７０を取着させ、その受信回路は出力オーディオ信号をボイスコイル２８に供給すべく結合させたスピーカ７５である。【選択図】  図１
2004221957.tif 000002
【特許請求の範囲】
【請求項１】
オーディオ信号を所定の変調信号で変調して、所定のキャリア信号に重畳して送信される変調オーディオ信号を受信し、復調する電子回路部を振動系部品に取着し、その受信回路は出力オーディオ信号をボイスコイルに供給すべく結合したスピーカ。
【請求項２】
電子回路部は、受信部と復調部と増幅部およびこれらの各部に給電する電源部とで構成した請求項１記載のスピーカ。
【請求項３】
電源部は、発電機能を備えた請求項２記載のスピーカ。
【請求項４】
電源部は、発電機能と蓄電機能とを備えた請求項２記載のスピーカ。
【請求項５】
蓄電機能は蓄電池を有し、この蓄電池は着脱可能とした請求項４記載のスピーカ。
【請求項６】
振動系部品は、ダイアフラム、ボイスコイル、ダストキャップ、ダンパーにて構成され、前記ダイアフラムに電子回路部を備えた請求項１〜５のいずれか一つに記載のスピーカ。
【請求項７】
振動系部品は、ダイアフラム、ボイスコイル、ダストキャップ、ダンパーにて構成され、前記ボイスコイルに電子回路部を備えた請求項１〜５のいずれか一つに記載のスピーカ。
【請求項８】
振動系部品は、ダイアフラム、ボイスコイル、ダストキャップ、ダンパーにて構成され、前記ダストキャップに電子回路部を備えた請求項１〜５のいずれか一つに記載のスピーカ。
【請求項９】
振動系部品は、ダイアフラム、ボイスコイル、ダストキャップ、ダンパーにて構成され、前記ダイアフラムとボイスコイルとダストキャップにて囲まれた空間に電子回路部を備えた請求項１〜５のいずれか一つに記載のスピーカ。
【発明の詳細な説明】
【０００１】
【発明の属する技術分野】
本発明は各種音響機器や情報通信機器および移動体通信機器に使用されるスピーカに関するものである。
【０００２】
【従来の技術】
以下に、従来のスピーカについて説明する。
【０００３】
図１０は従来のスピーカの断面図を示したものである。
【０００４】
図１０に示すように従来は、着磁されたマグネット１を上部プレート２および下部プレート３により挟み込んで磁気回路４を構成している。この磁気回路４の磁気ギャップ５にはまり込むようにボイスコイル８を結合し、このボイスコイル８に、振動板であるダイアフラム７を結合し、このダイアフラム７の周縁部にフレーム６を接着結合し、スピーカ５５を構成する。次に、ボイスコイル８のリード線１３をダイアフラム７に沿わせてこのダイアフラム７に設けられた金糸線１２との中継点であるハトメ１４まで引き回して、半田付けにより結線しその後、ダイアフラム７にダストキャップ９を接着している。
【０００５】
さらに、金糸線１２をフォーミングしながらターミナル１１まで引き回して、ターミナル１１に半田付けにより結線して構成している。
【０００６】
図１１は、従来のスピーカを駆動させるまでのブロックダイアグラム図を示したものであり、発信源より変調されて送信された電波を、電子回路部５０を駆動するための電源機能５１にて電源を供給し、受信機能５２で受信して、この信号を復調機能５３で復調して、音声信号を得ている。次に、この音声信号をスピーカ５５を駆動できるレベルにまで増幅機能５４で増幅してスピーカ５５に供給している。
【０００７】
このとき、スピーカ５５に供給される音声信号は、増幅機能５４を通過した後、スピーカコード５６をスピーカ５５のターミナル１１まで引き回して、ターミナル１１に結線して構成している。
【０００８】
なお、この出願の発明に関連する先行技術文献情報としては、例えば特許文献１が知られている。
【０００９】
【特許文献１】
特開平９−７００９３号公報
【００１０】
【発明が解決しようとする課題】
図１０のスピーカは、電子回路部５０がスピーカ５５本体の外部に設置されるため、電子回路部５０を設置する場所をスピーカ５５とは別に確保する必要があり、スピーカシステムのコンパクト化に課題を有していた。また、セット側からの電気信号を入力するためのスピーカコード５６とこれを接続するためのターミナル１１とボイスコイル８に音声信号を供給するための金糸線１２とがあるが、これらのスピーカコード５６やターミナル１１や金糸線１２は、電気信号を入力するために存在するだけで、スピーカ５５の音響特性向上に寄与することはない。また、これらの部品コストとこれらを結合するために必要となるコスト、およびこれらの生産設備コストは、スピーカ５５を含むシステム全体のコストに占める割合が高いものとなり、システム全体の生産性やコスト低減化に対して課題を有するものであった。特に、セット側とスピーカ５５の距離が非常に長い場合には、長く引き回されたスピーカコード５６のコストがスピーカ５５のコストを上回ることもあった。
【００１１】
そこで本発明は、電子回路部をスピーカの振動系部品に取着することにより、スピーカと電子回路部の一体化を図り、スピーカシステムのコンパクト化を実現するものである。また、スピーカコードやターミナルや金糸線をなくし、スピーカの部品点数削減によるコスト低減化を実現できる優れたスピーカを提供するものである。
【００１２】
【課題を解決するための手段】
そして、この問題を解決するために、本発明の請求項１に記載の発明は、特に、オーディオ信号を所定の変調信号で変調して、所定のキャリア信号に重畳して送信される変調オーディオ信号を受信し、復調する電子回路部を、振動系部品に取着し、その受信回路は出力オーディオ信号をボイスコイルに供給すべく結合したスピーカであり、この構成により、電子回路部を振動系部品に取着しているので、スピーカと電子回路部を一体化することができ、スピーカシステムのコンパクト化を実現することができる。
【００１３】
本発明の請求項２に記載の発明は、特に、電子回路部は、受信部と復調部と増幅部およびこれらの各部に給電する電源部とで構成した請求項１記載のスピーカであり、この構成により、スピーカを駆動するための信号を電波により受信し、スピーカを駆動できる信号に変換して再生することができる。
【００１４】
本発明の請求項３に記載の発明は、特に、電源部は、発電機能を備えた請求項２記載のスピーカであり、この構成により、スピーカを駆動しているとき、または振動系部品が振動しているときに、スピーカを発電機として使用することができるので、エネルギー効率を向上させることができる。
【００１５】
本発明の請求項４に記載の発明は、特に、電源部は、発電機能と蓄電機能とを備えた請求項２記載のスピーカであり、この構成により、スピーカを発電機として使用しているときに蓄電することが可能となり、この蓄電により余分なエネルギーを保存させることができる。
【００１６】
本発明の請求項５に記載の発明は、特に、蓄電機能は蓄電池を有し、この蓄電池は着脱可能とした請求項４記載のスピーカであり、この構成により、スピーカを駆動するための電源を蓄電池以外の電池により実現することができる。これにより、別の充電器にて蓄電池を充電したり、使い捨ての電池が使用可能になるなど、電源の供給用途を拡大することができる。
【００１７】
本発明の請求項６に記載の発明は、特に、振動系部品は、ダイアフラム、ボイスコイル、ダストキャップ、ダンパーにて構成され、前記ダイアフラムに電子回路部を備えた請求項１〜５のいずれか一つに記載のスピーカであり、この構成により、本来剛性が必要であるダイアフラムに、本来剛性がなければ支障を来す電子回路部が具備されることで、両部品の機能を高めることができる。また、ダイアフラムは空気との接触面積が大きいので、ダイアフラムの振動により、発熱した電子回路部を冷却する効果もある。
【００１８】
本発明の請求項７に記載の発明は、特に、振動系部品は、ダイアフラム、ボイスコイル、ダストキャップ、ダンパーにて構成され、前記ボイスコイルに電子回路部を備えた請求項１〜５のいずれか一つに記載のスピーカであり、この構成により、最終的にスピーカを駆動させるための音声電流を供給する必要のあるボイスコイルに、それ以前の処理機能である電子回路部を具備させることで、スピーカの内部配線を不要とすることができる。
【００１９】
本発明の請求項８に記載の発明は、特に、振動系部品は、ダイアフラム、ボイスコイル、ダストキャップ、ダンパーにて構成され、前記ダストキャップに電子回路部を備えた請求項１〜５のいずれか一つに記載のスピーカであり、この構成により、本来剛性が必要であるダストキャップに、本来剛性がなければ支障を来す電子回路部が具備されることで、両部品の機能を高めることができる。
【００２０】
本発明の請求項９に記載の発明は、特に、振動系部品は、ダイアフラム、ボイスコイル、ダストキャップ、ダンパーにて構成され、前記ダイアフラムとボイスコイルとダストキャップにて囲まれた空間に電子回路部を備えた請求項１〜５のいずれか一つに記載のスピーカであり、この構成により、スピーカ振動系部品のほぼ中心部で従来デッドスペースである前記空間を有効に利用し、この空間に電子回路部を備えることで、振動系部品全体の振動の安定化を図り、振動系部品のローリングやギャップ不良をなくすことができる。
【００２１】
【発明の実施の形態】
（実施の形態１）
以下、本発明の実施の形態１について、本発明の特に請求項１、２に記載の発明について図面を参照しながら説明する。
【００２２】
図１は、本発明の実施の形態１におけるスピーカの断面図を示したものである。
【００２３】
図１において、着磁されたマグネット２１を上部プレート２２および下部プレート２３により挟み込んで磁気回路２４を構成している。この磁気回路２４の磁気ギャップ２５にはまり込むようにボイスコイル２８を結合し、このボイスコイル２８に、振動板であるダイアフラム２７を結合し、このダイアフラム２７の周縁部にフレーム２６を接着結合してスピーカ７５を構成する。そして、このスピーカ７５のダイアフラム２７に電子回路部７０を取着する。
【００２４】
図２は、本発明のスピーカを駆動させるまでのブロックダイアグラム図を示したものである。図２において、発信源６０にてオーディオ信号を所定の信号で変調して、所定のキャリア信号に重畳して前記オーディオ信号を受信機能７２にて受信し、スピーカ７５の振動系部品に配した電子回路部７０にて信号処理してスピーカ７５を駆動している。すなわち、電源機能７１にて電源を供給し、受信機能７２で発信源６０から電波を受信して、この信号を復調機能７３で復調して、音声信号を得ている。次に、この音声信号をスピーカ７５を駆動できるレベルにまで増幅機能７４で増幅してスピーカ７５のボイスコイル２８に供給している。
【００２５】
以上の構成により、電子回路部を振動系部品に取着することで、スピーカと電子回路部とを一体化することができるので、スピーカシステムのコンパクト化を実現することができる。また、スピーカコード、ターミナル、金糸線の配線を使わずにオーディオ信号を受信することができるので、ボイスコイルのリード線のダイアフラムへの引き回し、金糸線との中継点の作製、半田付け作業等の工程も削減することができる。
【００２６】
よって、部品コストと、これらの部品を結合するための生産コストも削減することができるので、これらの生産設備も不要となり、部品、生産、設備等においてコスト低減化を実現することができる。
【００２７】
（実施の形態２）
以下、本発明の実施の形態２を用いて、本発明の特に請求項３の発明について図面を参照しながら説明する。
【００２８】
図３は、本発明の実施の形態２におけるスピーカの断面図を示したものである。本実施の形態の特徴は、電子回路部７０の電源機能７１に、発電機能７６を備えて構成したことである。この構成により、スピーカ７５を駆動している時、または、スピーカ７５を駆動していない時でも外部振動等により振動系部品が振動している時には、スピーカ７５を発電機として使用することができ、エネルギー効率を向上させることができる。
【００２９】
（実施の形態３）
以下、本発明の実施の形態３を用いて、本発明の特に請求項４に記載の発明について図面を参照しながら説明する。
【００３０】
図４は、本発明の実施の形態３におけるスピーカの断面図を示したものである。本実施の形態の特徴は、電子回路部７０の電源機能７１に、発電機能７６と蓄電機能７７とを備えて構成したことである。この構成により、スピーカ７５を発電機として使用している時に、蓄電することが可能となり、この蓄電により余分なエネルギーを保存させることができる。
【００３１】
（実施の形態４）
以下、本発明の実施の形態４を用いて、本発明の特に請求項５に記載の発明について図面を参照しながら説明する。
【００３２】
図５は、本発明の実施の形態４におけるスピーカの断面図を示したものである。本実施の形態の特徴は、蓄電機能７７には少なくとも蓄電池７８を有し、この蓄電池７８は着脱可能にして構成したことである。この構成により、スピーカ７５を駆動するための電源を、蓄電池７８以外に乾電池等の電池により実現することができる。これにより、別の充電器にて蓄電池７８を充電したり、使い捨て電池の使用を可能とするなど、電源の供給用途を拡大することができる。
【００３３】
（実施の形態５）
以下、実施の形態５を用いて、本発明の特に請求項６に記載の発明について説明する。
【００３４】
図６は、本発明の実施の形態５におけるスピーカの断面図を示したものである。本実施の形態の特徴は、振動系部品であるダイアフラム２７に電子回路部７０を備えて構成したことである。この構成により、本来剛性が必要であるダイアフラム２７に、本来剛性がなければ支障を来す環境にある電子回路部７０が具備されることで、両部品の機能を高めることができる。また、空気との接触面積が大きいダイアフラム２７に電子回路部７０を具備させることで、ダイアフラム２７の振動により、発熱した電子回路部７０を冷却する効果もある。
【００３５】
（実施の形態６）
以下、実施の形態６を用いて、本発明の特に請求項７に記載の発明について説明する。
【００３６】
図７は、本発明の実施の形態６におけるスピーカの断面図を示したものである。本実施の形態の特徴は、振動系部品であるボイスコイル２８に電子回路部７０を備えて構成したことである。この構成により、最終的にスピーカ７５を駆動させるための音声電流を供給する必要のあるボイスコイル２８に、それ以前の処理機能である電子回路部７０を具備させることで、スピーカ７５の内部配線を不要とすることができる。
【００３７】
（実施の形態７）
以下、実施の形態７を用いて、本発明の特に請求項８に記載の発明について説明する。
【００３８】
図８は、本発明の実施の形態７におけるスピーカの断面図を示したものである。本実施の形態の特徴は、振動系部品であるダストキャップ２９に電子回路部７０を備えて構成したことである。この構成により、本来剛性が必要であるダストキャップ２９に、本来剛性がなければ支障を来す電子回路部７０が具備されることで、両部品の機能を高めることができる。
【００３９】
（実施の形態８）
以下、実施の形態８を用いて、本発明の特に請求項９に記載の発明について説明する。
【００４０】
図９は、本発明の実施の形態８におけるスピーカの断面図を示したものである。本実施の形態の特徴は、振動系部品であるダイアフラム２７とボイスコイル２８とダストキャップ２９にて囲まれた空間３０に電子回路部７０を備えて構成したことである。この構成により、スピーカ振動系部品の略中心部で従来デッドスペースであった前記空間３０を有効に利用し、この空間３０に電子回路部７０を備えることで、振動系部品全体の振動の安定化を図り、振動系部品のローリングやギャップ不良をなくすことができる。
【００４１】
【発明の効果】
以上のように、本発明のスピーカは、スピーカの振動系部品に電子回路部を備えて構成したものである。この構成により、スピーカを駆動するための信号を電波により発信し、スピーカの振動系部品に直接受信させることで、スピーカコード、ターミナル、金糸線の部品を削減することができる。これにより、スピーカとスピーカコードの接続、ターミナルのフレームへの結合、ボイスコイルのリード線のダイアフラムへの引き回し、金糸線との中継点の作製、金糸線半田付け作業等の工程も削減することができる。
【００４２】
よって、部品コストと、これらの部品を結合するための生産コストも削減することができ、さらに、これらの生産設備も不要となる。従って、部品コスト、生産コスト、設備コスト等多大なコスト低減化を実現することができる。
【００４３】
このように本発明は、部品点数削減によるスピーカのコスト低減化を実現できる優れたスピーカおよびシステムを提供することができる。
【図面の簡単な説明】
【図１】本発明の一実施の形態におけるスピーカの断面図
【図２】本発明の一実施の形態におけるブロックダイアグラム図
【図３】本発明の別の実施の形態におけるスピーカの断面図
【図４】本発明の別の実施の形態におけるスピーカの断面図
【図５】本発明の別の実施の形態におけるスピーカの断面図
【図６】本発明の別の実施の形態におけるスピーカの断面図
【図７】本発明の別の実施の形態におけるスピーカの断面図
【図８】本発明の別の実施の形態におけるスピーカの断面図
【図９】本発明の別の実施の形態におけるスピーカの断面図
【図１０】従来のスピーカの断面図
【図１１】従来のスピーカにおけるブロックダイアグラム図
【符号の説明】
２１  マグネット
２２  上部プレート
２３  下部プレート
２４  磁気回路
２５  磁気ギャップ
２６  フレーム
２７  ダイアフラム
２８  ボイスコイル
７０  電子回路部
７５  スピーカ
【図１】
2004221957.tif 000003
【図２】
2004221957.tif 000004
【図３】
2004221957.tif 000005
【図４】
2004221957.tif 000006
【図５】
2004221957.tif 000007
【図６】
2004221957.tif 000008
【図７】
2004221957.tif 000009
【図８】
2004221957.tif 000010
【図９】
2004221957.tif 000011
【図１０】
2004221957.tif 000012
【図１１】
2004221957.tif 000013